(57)【要約】【課題】履歴データをユーザが削除した場合、削除行為自体の痕跡を残さない通信装置を提供する。【解決手段】不揮発メモリ３は、通信装置による発着信の履歴を示す複数の履歴データを、表示対象たるグループと、候補たるグループとに分類して格納している。操作部６は、表示対象たるグループに分類された履歴データを表示し、一覧表示された履歴データを削除する操作を表示部５はユーザから受け付ける。この削除にあたって、候補たるグループにおける履歴データを、表示対象たるグループに移動させる。【選択図】  図１
2004304626.tif 000002
【特許請求の範囲】
【請求項１】
通信装置であって、
通信装置における通信の履歴を示す複数の履歴データを、表示対象たるグループと、候補たるグループとに分類して格納しているメモリと、
候補たるグループに分類された履歴データは表示せず、表示対象たるグループに分類された履歴データを表示する表示手段と、
表示に対しユーザが行う所定の操作に応じて、表示対象グループにおける履歴データのうち何れかを削除する削除手段と、
削除手段による削除が行われれば、候補たるグループに分類された履歴データを、表示対象たるグループに移動させる移動手段と
を備えることを特徴とする通信装置。
【請求項２】
表示対象たるグループに分類される履歴データは、候補たるグループに分類される履歴データより通信の日時が新しい
ことを特徴とする請求項１記載の通信装置。
【請求項３】
前記通信装置は、
新たな通信が行われた場合、表示対象たるグループに分類された履歴データのうち通信の日時が最も古いものを、表示対象たるグループから候補たるグループに退避する退避手段を備え、
前記新たな通信についての履歴データは、表示対象たるグループに分類されて前記メモリに格納される
ことを特徴とする請求項２記載の通信装置。
【請求項４】
前記退避手段による履歴データの退避は、
表示対象たるグループにおける履歴データの数が上限数になっていて、新たな通信が行われた場合に行われる
ことを特徴とする請求項３記載の通信装置。
【請求項５】
前記移動手段による履歴データの移動は、
削除手段による削除後において、表示対象たるグループにおける履歴データの数が、上限数未満になった場合に行われる
ことを特徴とする請求項１記載の通信装置。
【請求項６】
前記通信装置とは、携帯電話機であり、
前記通信装置による通信とは、
通話信号の発信又は着信、通話データの発信又は着信、電子メールの発信又は着信の何れかである
ことを特徴とする請求項１〜５の何れかに記載の通信装置。
【発明の詳細な説明】
【０００１】
【発明の属する利用分野】
本発明は、発着信についての履歴を記憶する機能を有した通信装置に関し、特に履歴データを削除する場合の改良に関する。
【０００２】
【従来の技術】
携帯電話機を始めとする通信装置には、発着信についての履歴を記憶しておくという機能がある。発着信の履歴を示す履歴データは不揮発メモリに格納され、ユーザの閲覧に供される。携帯電話機が長く愛用されると、この履歴データの数も徐々に多くなる。多量の履歴データの整理促進を図るため、携帯電話機には履歴データの削除機能が備えられている。この削除機能を利用することにより、不要な履歴を削除することもできるし、また他人に知られたくない相手からの発着信の履歴を削除することもできる。
【０００３】
このことから履歴データの削除機能は、ユーザのプライバシー保護にも役立つ。通信メッセージの保管履歴に関する先行技術文献には、以下の特許文献１に記載されたものがある。
【０００４】
【特許文献１】
特開平７−２５０１６７号公報
【０００５】
【発明が解決しようとする課題】
ところで携帯電話機を始めとする携帯型の通信装置は、不揮発メモリの容量が小さい。そのため履歴データの保管数は、２０件程度に制限されていることが一般的である。ところが履歴データの削除を行えば、履歴データの保管数はこの最大保管数より少ない数、つまり１８件、１９件となる。購入したばかりの携帯電話機ならともかく、何箇月も使っているような携帯電話機の履歴データの数が、この最大保管数より少ないということは先ず有り得ない。「履歴データの数が最大保管数より少ない」という事実が、削除行為の痕跡となる。
【０００６】
ユーザの恋人や妻、両親がたまたま携帯電話機における発着信履歴を閲覧した際、履歴データの数が少ないことから、何か都合が悪い履歴データを削除したのではないかとあらぬ疑いを抱くことがある。ユーザが削除を行った際、「隠し事をしているのではないか」との疑念を抱いて人間関係に不和が生じるのは、ユーザにとっても、メーカにとっても決して望ましいことではない。
【０００７】
本発明の目的は、履歴データをユーザが削除した場合、削除行為自体の痕跡を残さない通信装置を提供することである。
【０００８】
【課題を解決するための手段】
上記課題を解決するため、本発明に係る通信装置は、通信の履歴を示す複数の履歴データを、表示対象たるグループと、候補たるグループとに分類して格納しているメモリと、候補たるグループに分類された履歴データは表示せず、表示対象たるグループに分類された履歴データを表示する表示手段と、表示に対しユーザが行う所定の操作に応じて、表示対象グループにおける履歴データのうち何れかを削除する削除手段と、削除手段による削除が行われれば、候補たるグループに分類された履歴データを、表示対象たるグループに移動させる移動手段とを備える。
【０００９】
【発明の実施の形態】
以降、本発明に係る通信装置の実施形態について、携帯電話機を一例にして説明する。図１は、通信装置である携帯電話機の内部構成を示す図であり、本図に示すように通信装置はベースバンド処理部１、高周波信号処理部２、不揮発メモリ３、表示対象グループ領域４、表示部５、操作部６、候補グループ領域７、制御部８からなる。
【００１０】
ベースバンド処理部１は、ベースバンド信号に対する送受信処理を行う。携帯電話機の発信時においてベースバンド処理部１は、制御部８の制御に基づき送信処理を行い、ベースバンド信号を高周波信号処理部２に出力する。携帯電話機の着信時においてベースバンド処理部１は、高周波信号処理部２から出力されたベースバンド信号に対して受信処理を行ってデジタルデータを得て制御部８に出力する。
【００１１】
高周波信号処理部２は、ベースバンド信号−高周波信号の変換処理を行う。発信時において高周波信号処理部２はベースバンド処理部１により出力されたベースバンド信号を高周波信号に変換し、増幅した上で送信出力する。着信時において高周波信号処理部２はアンテナから入力されてくる高周波信号を増幅し、ベースバンド信号に変換してベースバンド処理部１に出力する。これらベースバンド処理部１、高周波信号処理部２により、通話信号の発信又は着信、通話データの発信又は着信がなされる。
【００１２】
不揮発メモリ３は、ＥＥＰＲＯＭ等であり、履歴データを格納しておくための２つの論理的な領域を有する。不揮発メモリなので、この不揮発メモリ３における格納内容は、通信装置の電源が断たれても消滅することはない。通信装置は携帯電話機であるため、不揮発メモリ３の規模は小さく、不揮発メモリ３に格納される履歴データの件数は２０件程度に過ぎない。このような制限は、携帯電話機特有のものである。何故なら、ＰＤＡやパソコンに分類される通信装置は、容量の大きな不揮発メモリやハードディスクを内蔵しているため、何十、何百件でも履歴データを格納することができ、履歴データの保管数に制限を課す必要はないからである。
【００１３】
表示対象グループ領域４は、不揮発メモリ３における２つの論理領域のうちの１つであり、最大２０件の履歴データからなる表示対象グループが格納される。履歴データとは、ベースバンド処理部１、高周波信号処理部２により送信処理、受信処理がなされた際、その発信又は着信の履歴を示すデータである。履歴データは、発着信にあたっての相手側の電話番号（１）、発着信の日時（２）、その着信がワン切りか否かを示すフラグ（３）を基本要素とする。ワン切りか否かは、着信の回数や着信の時間により判定されるが、詳細は本願の主眼ではないので説明を省略する。この他にも履歴データは、履歴データにおける電話番号がアドレス帳に登録されているか否かを示すフラグ（４）、当該アドレス帳における発着信の相手側の名称（５）を任意的な要素として含む。履歴データには、発信についての履歴と、着信についての履歴とがあるので、表示対象グループ領域４も発信についての履歴データ、着信についての履歴データをそれぞれ別個に格納している。しかしそれら双方を例示して説明を行うと説明が煩雑になるので本実施形態では、着信についての履歴データを例示して説明を行う。図２（ａ）は、表示対象グループ領域４に記憶された履歴データの日時（２）、名称（５）を、具体例に置き換えて示した図である。
【００１４】
表示部５は、表示対象グループ領域４に格納されている最大２０件の履歴データのうち、４件を視覚化して表示すると共に、表示対象グループ領域４における履歴データの保管数を表示する。表示部５による視覚化により、ユーザは通信装置において過去にどれだけの発着信があったかを知ることができる。図２（ａ）の２０件の履歴データが表示対象グループ領域４に格納されている場合に、表示部５にどのように履歴データが表示されるかを図３（ａ）に示す。本図における表示部５は、携帯電話機上のＬＣＤであり、このＬＣＤに表示対象グループ領域４における２０件の履歴データが、４件毎にスクロール表示される。また保管数である２０件が、ガイダンスｇｄ１に表示されている。操作部６における矢印キー５ａの押下で、表示部５の表示内容はスクロールし、表示対象グループ領域４に格納されている計２０件の履歴データを、どれでも閲覧することができる。
【００１５】
操作部６は、矢印キー、オンフックキー、オフフックキー、削除キーからのユーザ操作を受け付ける。通信装置の筐体において、これら操作部６のキーがどのように配置されているかを図３（ａ）に示す。図３（ａ）に示すように、矢印キー５ａ、オンフックキー５ｂ、オフフックキー５ｃ、削除キー５ｄは、片手で押下されるよう配置が工夫されている。本実施形態では、削除キーという用途のキーが存在することを前提しているが、別の用途のキーに「削除」という用途を割り付けることで削除キーとして利用してもよい。ユーザは、操作部６の矢印キー５ａに対する押下により、表示部５における複数履歴データの何れかを反転状態にすることができる。反転状態とは、ユーザ操作の対象になった状態である。１つの履歴データの反転状態において、ユーザが操作部６のオフフックキー５ｂを押下すれば、その履歴データにおける相手側に対して、発呼がなされる。履歴データの反転状態において、削除キー５ｄが押下されれば、その履歴データは表示対象グループ領域４から削除される。操作部６は、表示部５と連動することでビジュアルなインターフェイスをユーザに提供する。図３（ｂ）は、図３（ａ）における４つの履歴データのうちスナックＳについての履歴データが反転状態になった様子を示す。
【００１６】
候補グループ領域７は、不揮発メモリにおける２つの論理領域のうちの１つであり、２，３件の履歴データからなる候補グループを格納している。表示対象グループと候補グループとの関係であるが、候補グループ領域７における履歴データは、表示対象グループの履歴データより発着信の日時が古い。図２（ｂ）は、表示対象グループ領域４に図２（ａ）に示すような履歴データが格納されている場合、候補グループ領域７にどのような履歴データが格納されるかを示す図である。本図において候補グループ領域７に格納される履歴データの日時は、『２００３  ２／２  １３：００』『２／２  １０：００』『２／２  ９：００』であり、表示対象グループ領域４に格納されていたものの日時『２００３  ２／３  １８：００』『２／３  １７：００』『２／３  １５：００』より古い。このことから、表示対象グループ領域４に格納されている履歴データより、候補グループ領域７に格納されている履歴データの方が古いことがわかる。候補グループ領域７に格納された履歴データは、通常の操作では閲覧することはできず、またこの候補グループ領域７中の履歴データは、不揮発メモリ３における保管件数にカウントしない。そのため、この候補グループ領域７に格納される履歴データは、ユーザにより認識されることはない。候補グループ領域７における履歴データは、ユーザから認識されず、２０件というまとまりの良い数の履歴データだけがユーザに認識されることになる。
【００１７】
制御部８は、操作部６に対するユーザ操作に基づき、ベースバンド処理部１、高周波信号処理部２に対する発信制御及び着信制御や不揮発メモリ３に対するメモリアクセスを行う。通信装置における発着信にあたって制御部８は、着信履歴を示す履歴データを生成し表示対象グループ領域４、候補グループ領域７に格納する。この制御部８による制御内容は、コンピュータ読取可能なプログラムを、ＣＰＵが実行することで実現される。このプログラムは、図６に示すフロ−チャ−トの処理手順を、コンピュータ記述言語で記述することにより作成される。以降、図６の処理手順について説明する。
【００１８】
ステップＳ０において、表示対象グループ領域４における履歴データの保管件数を示す変数（保管件数Ｘ）を０に初期化する。続くステップＳ１において表示対象グループ領域４における履歴データを一覧表示し、表示対象グループ領域４における保管件数Ｘを表示した後、ステップＳ２〜ステップＳ４においてユーザによる操作部６に対する操作や発着信を待つ。もし、表示対象グループ領域４に２０件の履歴データが格納されているなら、ステップＳ１にてそのうち４件が表示部５に一覧表示され、表示対象グループ領域４における保管件数２０が、表示部５のガイダンスｇｄ１に表示される。発着信が発生すれば、ステップＳ５の判定を実行する。ステップＳ５の判定は、表示対象グループ領域４における保管件数Ｘが最大数であるか否かの判定であり、もし否であれば新たな履歴データを表示対象グループ領域４に書き込み、保管件数Ｘをインクリメントする（ステップＳ６）。
【００１９】
保管件数Ｘが最大数でなければ、ステップＳ７〜ステップＳ８を経た後に、ステップＳ６を実行する。
ステップＳ７は、表示対象グループ領域４における２０件の履歴データのうち、最も古いものを候補グループ領域７に退避して保管件数Ｘをデクリメントするステップであり、この退避後に新たな履歴データの書き込みが行われる（ステップＳ６）。
【００２０】
ステップＳ８は、候補グループ領域７における履歴データの数が最大数に達しているかの判定であり、もし候補グループ領域７における履歴データの数が最大数に達していれば、ステップＳ７での履歴データの退避は、候補グループ領域７における３件の履歴データのうち、最も古いものが削除された上でなされる（ステップＳ９）。
【００２１】
操作部６の矢印キー５ａが押下されれば、矢印キー５ａの方向にスクロールを行い、矢印キー５ａで指示された履歴データを反転状態にする（ステップＳ１０）。
削除キー５ｄが押下されれば、その反転状態にある履歴データを表示対象グループ領域４から削除して保管件数Ｘをデクリメントする。ステップＳ１２は、こうして少なくなった保管件数Ｘが、表示対象グループ領域４の最大保管数−１であるか否かを判定している。表示対象グループ領域４の最大保管数−１でなければステップＳ２〜ステップＳ４に戻るが、もしそうであれば、候補グループ領域７に退避された履歴データのうち、最も新しいものを表示対象グループ領域４に復帰して保管数Ｈをインクリメントする（ステップＳ１３）。
【００２２】
図３（ｂ）に示すような選択操作が行われて、スナックＳについての履歴データが削除対象として選択されたものとする。ステップＳ１１の処理が行われて、このスナックＳについての履歴データが不揮発メモリ３から削除された場合、図４（ａ）（ｂ）に示すようにこのスナックＳについての履歴データの代わりに、候補グループ領域７から同僚Ｕについての履歴データが読み出されて、表示対象グループ領域４に書き込まれる。この書き込み後の表示部５の表示内容を図５に示す。本図に示すように、スナックＳに代えて、同僚Ｕの履歴データが表示されているので、表示対象グループ領域４における履歴データの総数は削除前と変わらず、履歴データの削除の痕跡は残らない。このことから、履歴データの削除が、ユーザの恋人や妻、両親に察せられることはない。
【００２３】
尚本実施形態において、不揮発メモリ３に格納される履歴データは、通話データや通話信号の発着信についての履歴データとした。これ以外にも、電子メールの発着信についての履歴データであってもよい。電子メールについての履歴データは、相手側のＵＲＬアドレス（１）、相手側がアドレス帳に登録されているか否かを示すフラグ（２）、ＣＣの有無（３）、添付ファイル（４）、題名（５）といった情報を基本的要素とする。
【００２４】
また、着信の履歴についての履歴データを表示対象グループ領域４に格納しておき、一覧表示を行ったが、発信についての履歴データを表示対象グループ領域４に格納しておき、一覧表示を行ってもよい。着信についての履歴データ及び発信についての履歴データを表示対象グループ領域４に格納しておき、これらを日時に順に並べて表示を行っても良い。
【００２５】
更に、本実施形態において表示対象グループ領域４、候補グループ領域７は不揮発メモリ３上の論理的な領域としたが、別々の不揮発メモリ上に設けられてもよい。
加えて、表示対象グループ領域４及び候補グループ領域７における履歴データの保管数は、不揮発メモリの容量が許す限り何件でもよい。また、一度に削除される履歴データの数は、１ではなく何個でもよい。
【００２６】
【発明の効果】
以上説明したように、本発明に係る通信装置は、通信装置における通信の履歴を示す複数の履歴データを、表示対象たるグループと、候補たるグループとに分類して格納しているメモリと、候補たるグループに分類された履歴データは表示せず、表示対象たるグループに分類された履歴データを表示する表示手段と、表示に対しユーザが行う所定の操作に応じて、表示対象グループにおける履歴データのうち何れかを削除する削除手段と、削除手段による削除が行われれば、候補たるグループに分類された履歴データを、表示対象たるグループに移動させる移動手段とを備えており、履歴データの削除時において、代わりの履歴データを、候補たるグループから表示対象たるグループに移動させるので、表示時にディスプレィに現れる履歴データの数は、削除前と変わらない。削除行為を行ったという痕跡が残らないので、携帯電話機の履歴データの表示をユーザの恋人や妻、両親がみたとしても、ユーザによる削除行為に気付くことはない。これによりユーザのプライバシーを保つことができる。
【００２７】
ここで表示対象たるグループに分類される履歴データは、候補たるグループに分類される履歴データより通信の日時が新しくなるようにしてもよい（２）。
削除された履歴データの代わりに、表示対象たるグループに移動させられる履歴データは、削除された履歴データより古いものなので、これらが表示されたとしても不自然さをユーザに与えない。
【００２８】
ここで前記通信装置は、新たな通信が行われた場合、表示対象たるグループに分類された履歴データのうち通信の日時が最も古いものを、表示対象たるグループから候補たるグループに退避する退避手段を備え、前記新たな通信についての履歴データは、表示対象たるグループに分類されて前記メモリに格納されるようにしても良い（３）。
【００２９】
候補たるグループへの補充は、通信装置による通信の度に行われるので、ユーザが気付かないうちに実行しておくことができる。
【図面の簡単な説明】
【図１】通信装置である携帯電話機の内部を示す図である。
【図２】（ａ）表示対象グループ領域４に記憶された履歴データの日時（２）、名称（５）を、具体例に置き換えて示した図である。
（ｂ）表示対象グループ領域４に図２（ａ）に示すような履歴データが格納されている場合、候補グループ領域７にどのような履歴データが格納されるかを示す図である。
【図３】（ａ）図２（ａ）の２０件の履歴データが表示対象グループ領域４に格納されている場合に、表示部５にどのように履歴データが表示されるかを示す図である。
（ｂ）図３（ａ）の画面を表示している状態で、矢印キー５ａを押下された場合に、１つの履歴データが反転状態になる様子を示す図である。
【図４】（ａ）不揮発メモリ３から何れかの履歴データが削除される過程を模式化した図である。
（ｂ）候補グループ領域７から履歴データが読み出されて、表示対象グループ領域４に書き込まれる過程を模式化した図である。
【図５】第２グループ領域７から表示対象グループ領域４への書き込み後における表示部５の表示内容を示す図である。
【図６】制御部８による処理手順を示すフローチャートである。
【符号の説明】
１    ベースバンド処理部
２    高周波信号処理部
３    不揮発メモリ
４    表示対象グループ領域
５    操作部
６    表示部
７    候補グループ領域
８    制御部
【図１】
2004304626.tif 000003
【図２】
2004304626.tif 000004
【図３】
2004304626.tif 000005
【図４】
2004304626.tif 000006
【図５】
2004304626.tif 000007
【図６】
2004304626.tif 000008